(57)【要約】【課題】扁平ジャバラと取付金具の間の接続部に隙間や段差が形成されないようにすると共に、扁平ジャバラ取付後のジャバラ調整作業が不必要であるようにした扁平ジャバラ取付金具の改良構造を提供すること。【解決手段】台間玉貸機の扁平ジャバラ取付金具において、底面部から立ち上がる上方が開放された断面Ｕ字状の取付金具本体の両側面部に、互いに対向する側面部側へ向かい漸次隆起する突起を設け、該突起の最大隆起部において前記両側面部の側縁に対して平行な直線状の突起切断部を形成し、この突起切断部に扁平ジャバラを当接させることにより、取付金具に対し位置決め接続ができるようにした。【選択図】  図４
2004201862.tif 000002
【特許請求の範囲】
【請求項１】
台間玉貸機の背面に硬貨を排出するための開口部を設け、該開口部に扁平ジャバラを接続するための台間玉貸機の扁平ジャバラ取付金具であって、底面部から立ち上がる上方が開放された断面Ｕ字状の取付金具本体の両側面部に、互いに対向する側面部側へ向かい漸次隆起する突起を設けたことを特徴とする扁平ジャバラ位置決め取付金具。
【請求項２】
前記突起は、扁平ジャバラ接続側の最大隆起部において前記両側面部の側縁に対して平行な直線状の突起切断部を有することを特徴とする請求項１に記載の扁平ジャバラ位置決め取付金具。
【請求項３】
前記断面Ｕ字状の取付金具本体の両側面部には、前記底面部に隣接して前記開口部側の側面部から直交して互いに展開する方向に延長形成されたフランジ部を有することを特徴とする請求項１及び請求項２に記載の扁平ジャバラ位置決め取付金具。
【請求項４】
前記両側面部には、その上方の端縁から延長形成される鉤形爪片を有することを特徴とする請求項１ないし請求項３に記載の扁平ジャバラ位置決め取付金具。
【請求項５】
前記フランジ部と反対側の前記両側面部の側縁には、それぞれ少なくとも一つの扁平ジャバラを係止するための係止爪を有することを特徴とする請求項３ないし請求項４に記載の扁平ジャバラ位置決め取付金具。
【請求項６】
前記扁平ジャバラ位置決め取付金具は、前記両側面部の上方の端縁に前記鉤形爪片を介して装着する断面逆Ｕ字状の抜け止め部材を備えることを特徴とする請求項４ないし請求項５に記載の扁平ジャバラ位置決め取付金具。
【発明の詳細な説明】
【０００１】
【発明の属する利用分野】
本発明は、パチンコ機等の遊技機における遊技媒体の貸出やカード類の発行を行う台間玉貸機の硬貨排出口に接続するジャバラ位置決め取付金具に関し、特にベルト式コンベヤ等の硬貨回収搬送機へ台間玉貸機の背面側から硬貨を排出して誘導するためのジャバラを台間玉貸機の硬貨排出口に接続する際、このジャバラを取付金具の所定位置に固定するようにしたジャバラ位置決め取付金具に関するものである。
【０００２】
【従来の技術】
従来、パチンコ機やスロットマシン等の遊技機を配設した遊技機島においては、遊技機と遊技機との間に現金硬貨の投入によりパチンコ玉やメダル等の遊技媒体の貸出やカード類の発行を行う台間玉貸機が配設されている。台間玉貸機の硬貨投入口から投入された硬貨は、該台間玉貸機背後の硬貨排出口からその背面側の島内に設けられたベルト式コンベヤ等の硬貨回収搬送機まで、フレキシブルなジャバラ内を落下しつつ誘導されて搬送されるものである。この硬貨回収搬送機への搬送に使用される硬貨誘導用のジャバラは、通常コイル巻き型扁平ジャバラが用いられている。従来においては、このようなジャバラを台間玉貸機の硬貨排出口における接続金具として、例えば、特許文献１の発明においては、台間玉貸機の硬貨排出口側に固定するコイル巻き型扁平蛇腹管を挿入する支持枠部５を設けた支持枠ガイド本体１の片側に、硬貨補給用コンベヤの取込位置側に向け湾曲する扁平蛇腹管受用屈曲板７を設けると共に、この屈曲板７と反対側に扁平蛇腹管係止用爪８を鉤折り形成し前記支持枠部５をに挿入するコイル巻き型扁平蛇腹管の片面を屈曲板７に添うよう案内し、且つ係止爪８を扁平蛇腹管のコイル巻き間隔に差し込み係止するようにしているものがある。また、取付部材からの扁平蛇腹管の抜け止めと接続作業の容易化を図るために、例えば、特許文献２の発明においては、台間玉貸機３の背面３ａに硬貨類を排出又は導入するための開口部３０を設け、この開口部３０に取付部材３１を介してコイル巻き型扁平蛇腹管１１を接続する蛇腹管接続構造において、取付部材３１に扁平蛇腹管が連通して接続される蛇腹管接続口３２を設け、この蛇腹管接続口３２を、これと直交する方向から見て一方向が開放された略コ字状に形成すると共に、蛇腹管接続口３２の互いに対向する一対の縁部にはそれぞれ内側に突出する係止爪３３が形成されており、前記扁平蛇腹管をこの取付部材３１の蛇腹管接続口３２に対し該蛇腹管接続口の開放側から前記両係止爪３３に係合させながら差し込むことで係止状態に接続し、取付部材３１を、その蛇腹管接続口３２の開放側が台間玉貸機の背面に近接して扁平蛇腹管の抜け止めをした状態で台間玉貸機の背面に取付けているものもある。
【０００３】
【特許文献１】
実開平６−１１０８０号公報（第1−２頁、第１−４図）
【特許文献２】
特開２００２−２３９１９４号公報（第1−２頁、第４図）
【０００４】
【発明が解決しようとする課題】
上記した従来の台間玉貸機において、硬貨排出口におけるジャバラ接続金具は、この接続金具本体に対する扁平ジャバラの接続構造が接続金具本体の開口部へ扁平ジャバラの一端部を挿入して接続する単純な構造であるために、その接続作業の際に、この扁平ジャバラの側部と接続金具本体の側壁との間に片寄った隙間を生じさせ易い構造であったり、又は接続金具本体と扁平ジャバラの接続部との間に隙間や段差が形成されるような構造を有するものであった。そのため、扁平ジャバラが接続金具の一方の側壁に片寄った状態のままで接続されると、台間玉貸機の硬貨排出口から硬貨を取付金具に接続した扁平ジャバラへ誘導しようとしても、硬貨詰まりが発生したりする原因となるので、これを防止するために扁平ジャバラの取付位置を調整するためのジャバラ取付後の調整作業が必要であるという問題があった。
【０００５】
上記問題に鑑み、本発明の解決しようとする課題は、扁平ジャバラを接続する取付金具において、扁平ジャバラの接続部との間に隙間や段差が形成されないようにすると共に、ジャバラ取付後においても取付後のジャバラ調整作業が不必要であるようにした扁平ジャバラ取付金具の改良構造を提供することを目的とするものである。
【０００６】
【課題を解決するための手段】
本発明は上記の課題を解決する為になされたものであり、その解決の為に講じた本発明の手段と、その作用は次のとおりである。なお、本明細書において使用する「硬貨」とは、通常の現金硬貨以外にＩＣチップ等を搭載した所謂「ＩＣコイン」も含むものを意味する。
【０００７】
請求項１では、台間玉貸機の背面に硬貨を排出するための開口部を設け、該開口部に扁平ジャバラを接続するための台間玉貸機の扁平ジャバラ取付金具であって、底面部から立ち上がる上方が開放された断面Ｕ字状の取付金具本体の両側面部に、互いに対向する側面部側へ向かい漸次隆起する突起を設けた扁平ジャバラ取付金具を提案する。
【０００８】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、該取付金具本体の両側面部に互いに対向する側へ漸次隆起する突起を設けたので、この漸次隆起する突起が硬貨のガイド部となり、台間玉貸機の開口部から排出される硬貨が取付金具に接続された扁平ジャバラの入口部で硬貨詰まりを起こすことなく扁平ジャバラへ円滑に誘導することができる。
【０００９】
請求項２では、請求項１の扁平ジャバラ取付金具において、前記突起は、扁平ジャバラ接続側の最大隆起部において前記両側面部の側縁に対して平行な直線状の突起切断部を有する扁平ジャバラ取付金具を提案する。
【００１０】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けたことで、この漸次隆起する突起が硬貨のガイド部となり、開口部から排出される硬貨を扁平ジャバラへ円滑に誘導することができると共に、前記最大隆起部において直線状の突起切断部を設けたので、取付金具と扁平ジャバラの接続部との間に隙間や段差が形成されない構造とすると同時に、扁平ジャバラの開口接続部をこの直線状の突起切断部に当接させて扁平ジャバラを位置決めして取付金具に接続する構造とすることができるから、台間玉貸機の開口部から排出される硬貨が取付金具に接続される扁平ジャバラの開口接続部で硬貨の詰まりを起こすことを確実に防止することができる。
【００１１】
請求項３では、請求項１及び２の扁平ジャバラ取付金具において、前記断面Ｕ字状の取付金具本体の両側面部には、前記底面部に隣接して前記開口部側の側面部から直交して互いに展開する方向に延長形成されたフランジ部を有する扁平ジャバラ取付金具を提案する。
【００１２】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。
【００１３】
請求項４では、請求項１ないし３の扁平ジャバラ取付金具において、前記両側面部には、その上方の端縁から延長形成される鉤形爪片を有する扁平ジャバラ取付金具を提案する。
【００１４】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。さらに、取付金具の上方端縁に鉤形爪片を設けたので、ジャバラ取付後に振動等の原因により扁平ジャバラが外れようとしても、鉤形爪片を折り曲げて扁平ジャバラを固定することで、取付金具上方部からの外れを確実に阻止することができる。
【００１５】
請求項５では、請求項３ないし４の扁平ジャバラ取付金具において、前記フランジ部と反対側の前記両側面部の側縁には、それぞれ少なくとも一つの扁平ジャバラを係止するための係止爪を有する扁平ジャバラ取付金具を提案する。
【００１６】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。さらに、取付金具の上方端縁に鉤形爪片を設けたので、ジャバラ取付後に振動等の原因により扁平ジャバラが外れようとしても、鉤形爪片を折り曲げて扁平ジャバラを固定することで、取付金具上方部からの外れを確実に阻止することができる。また、取付金具の側縁に形成した係止爪により、扁平ジャバラを係止するので、扁平ジャバラの外れを確実に阻止することができる。
【００１７】
請求項６では、請求項４ないし５の扁平ジャバラ取付金具において、前記扁平ジャバラ位置決め取付金具は、前記両側面部の上方の端縁に前記鉤形爪片を介して装着する断面逆Ｕ字状の抜け止め部材を備える扁平ジャバラ取付金具を提案する。
【００１８】
該構成により、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。また、取付金具の側縁に形成した係止爪により、扁平ジャバラを係止するので、扁平ジャバラの外れを確実に阻止することができる。さらに、取付金具の上方端縁に鉤形爪片を介して断面逆Ｕ字状の抜け止め部材を装着するので、ジャバラ取付後に振動等の原因により扁平ジャバラが外れようとしても、鉤形爪片を折り曲げて抜け止め部材を固定することで、取付金具上方部からの扁平ジャバラの外れを一層確実に阻止することができる。
【００１９】
【発明の実施の形態】
以下に、各図に基づきながら本発明の実施形態について説明する。図１は、パチンコ機と台間玉貸機を設置した島設備の断面図である。図２は、扁平ジャバラ位置決め取付金具の第１実施形態の斜視図である。図３は、扁平ジャバラ位置決め取付金具の変形例の斜視図である。図４は、第２実施形態の取付金具と扁平ジャバラとの接続状態の説明図である。図５は、扁平ジャバラ位置決め取付金具の取付組立図である。図６は、第２実施形態の抜け止め金具の爪折り状態の説明図である。図７は、扁平ジャバラ位置決め取付金具の台間玉貸機への取付説明図である。図８は、扁平ジャバラ位置決め取付金具の分解説明図である。
【００２０】
図１は、パチンコ島１における断面の構造を示す説明図である。パチンコ島１は、背中合わせに並列配置された複数のパチンコ機２と、該パチンコ機２に隣接配置される台間玉貸機３と、これらのパチンコ機２と台間玉貸機３などを支持するための島本体５を備えている。図に示すように、島本体５は、パチンコ遊技場の床面に固定された複数の支持枠９，９・と、これらの支持枠９，９・の下部に取り付けられた基台７と、支持枠９の上部と他の支持枠（図では省略）の上部との間に設けられた上部取付部１１を備えている。基台７の上には、パチンコ機２を下方から支持するための下方支持板１３が固定され、上部取付部１１の下面にはパチンコ機２を上方から支持するための上方支持板１５が固定されている。符合１４，１４は、遊技客が主として玉箱を載せておくための載せ板を示している。この載せ板１４，１４は、各々基台７と下方支持板１３，１３との間に固定されている。符号１７，１７は、従業員呼出等の用途を持つ呼出ランプ（図示は省略）等を取り付けるためのランプ板を示している。
【００２１】
パチンコ島１は、背中合わせのパチンコ機２，２間に中央空間部１０を備え、この中央空間部１０内に補給樋２１、支持部材２３ｔによって支持された硬貨回収搬送機２３及び集合樋２５が配されている。補給樋２１は、パチンコ島１内に設けられたパチンコ玉揚送装置（図示は省略）から各パチンコ機２及び各台間玉貸機３にパチンコ玉を供給するための樋である。補給樋２１から各パチンコ機２及び各台間玉貸機３へのパチンコ玉の供給は、パチンコ玉搬送ダクト２１ｄにより行なわれるようになっている。硬貨回収搬送機２３は、パチンコ島１の端に設けられる硬貨回収ボックス（図示は省略）に各台間玉貸機３から排出された硬貨を搬送するためのものである。各台間玉貸機３から硬貨回収搬送機２３への硬貨の搬送は、硬貨搬送ダクトを形成する扁平ジャバラ４１により行なわれるようになっている。
【００２２】
台間玉貸機３は、硬貨投入口４ｋから投入された硬貨の真偽を識別する不図示の硬貨選別装置により、受入可能と識別した硬貨を排出すると共に、受入不能と識別された硬貨は硬貨返却口へ戻されるようになっている。受入可能と識別されて台間玉貸機３から排出された硬貨は、硬貨搬送ダクトの扁平ジャバラ４１内に誘導され、硬貨回収搬送機２３に向かって落下搬送されるようになっている。
【００２３】
（台間玉貸機背部の硬貨排出部の構造）
台間玉貸機３の背面には、図８に示すように、硬貨選別装置により受入可能と識別された硬貨を下方に配置された前記硬貨回収搬送機２３に排出するための開口部として硬貨排出口３０が設けられ、この硬貨排出口３０には取付金具３１を介して扁平ジャバラ４１の一端が接続される。扁平ジャバラ４１は、コイル状に密着巻きしたバネ鋼又はピアノ線等の金属製材料或いは合成樹脂製材料などにより形成されており、全体としてフレキシブルに形成されている。
【００２４】
（第１実施形態の扁平ジャバラ取付金具の構造）
取付金具３１は、図２に示すように、板状部材から成り、中央の底面部３１ａの両縁の第１屈曲部３２，３２から直角に折り曲げられて立ち上がる側面部３１ｂ，３１ｂと、該側面部３１ｂ，３１ｂの一側の側縁における第２屈曲部３５，３５から延長されると共に、それぞれ直行方向外方へ延びるフランジ部３１ｃ，３１ｃとを備えている。前記側面部３１ｂ，３１ｂの上方の端縁３９，３９は、開放端とされている。したがって、取付金具３１は、第１屈曲部３２，３２を境にして側面部３１ｂ，３１ｂが折り曲げられて立ち上がり形成されているものであり、全体として、底面部３１ａを底にして断面Ｕ字状又は断面コ字状に形成されているものである。また、前記第１屈曲部３２，３２の幅は、上方の端縁３９，３９の幅よりも狭い幅に形成されている。該側面部３１ｂ，３１ｂに形成された前記フランジ部３１ｃ，３１ｃと反対側の側縁３１ｄ，３１ｄには、扁平ジャバラ４１を係止するための係止爪３３，３３が、該側縁３１ｄ，３１ｄから互いに対向する方向に少なくとも１つ以上折り曲げ形成されて、それぞれの側縁３１ｄ，３１ｄに設けられている。
【００２５】
なお、第１実施形態の変形例として、取付金具３１は、前記側面部３１ｂ，３１ｂの先端側の端縁３９，３９に、図３に示すように、鉤形爪片３４，３４を延長形成した構成としてもよい。また、前記フランジ部３１ｃ，３１ｃに形成された穴３８は、取付金具３１本体を台間玉貸機３の背面にネジ等で固定するための穴である。この穴３８に代えるか又はこれと併用するために前記フランジ部３１ｃ，３１ｃの側縁に、前記鉤形爪片３４と同様の鉤形爪片（図示は省略）を前記側面部３１ｂ，３１ｂの反対方向へ直角に延長して形成してもよい。この場合、この鉤形爪片は、台間玉貸機３の背面に係着用の長穴又はスリットを形成して、これに鉤形爪片を嵌め込んで取付金具３１本体を係着すればよい。
【００２６】
（第１実施形態の特徴的な取付金具の構造）
更に、本実施形態の取付金具３１における特徴的な構造としては、前記側面部３１ｂ，３１ｂの各面にその外面側から内方へ突出形成したダボ状の突起３６，３６をそれぞれ備えていることを特徴としている。このダボ状の突起３６は、図２及び３に示すように、側面部３１ｂ，３１ｂの中央のフランジ部３１ｃ，３１ｃ寄りの部分において、フランジ部３１ｃ側から側縁３１ｄへ向かい、かつ外面から対向する側面部側の内面へと向かって漸次隆起するように形成された突起であり、該側縁３１ｄと平行な線切断により形成される直線状の突起切断部３７において最大隆起が形成されてなるものである。このダボ状の突起３６は、上記のような隆起を備えるものであるので、漸次隆起する部分により、投入された硬貨を側面部３１ｂ，３１ｂから該漸次隆起する面に沿って中央寄りへとガイドする作用をなさせるものである。また、前記突起切断部３７における突起３６の最大隆起部は、扁平ジャバラ４１を取付金具３１に接続するとき、扁平ジャバラ４１の端が該最大隆起部に当接することにより位置決め作用をなすように形成するものである。
【００２７】
（取付金具と扁平ジャバラの接続構造）
この取付金具３１に対して扁平ジャバラ４１を接続する仕方について説明する。図示しないが、扁平ジャバラ４１を断面Ｕ字状の開放側から、つまり、図３に示す取付金具３１の上方の端縁３９，３９側から扁平ジャバラ４１先端のコイル巻き部分を前記係止爪３３，３３に沿って差し込み、扁平ジャバラ４１の該先端が前記最大隆起部を越えないようにしつつ前記突起切断部３７に当接するように接続して取付金具３１に取り付けるものである。このように接続された扁平ジャバラ４１は、係止爪３３，３３により脱落しないように係止されて取付金具３１に固着されると共に、扁平ジャバラ４１の先端が前記最大隆起部の突起切断部３７により位置決めされる。前記変形例の鉤形爪片３４，３４を備える取付金具３１を使用する場合は、扁平ジャバラ４１を上記のように接続した後、端縁３９，３９に延長形成した鉤形爪片３４，３４先端の爪片部分を互いに内向き側に折り曲げることにより、扁平ジャバラ４１上端が係止されるので、扁平ジャバラ４１が端縁３９，３９側から抜け落ちるのを阻止することができる。
【００２８】
（第２実施形態の扁平ジャバラ取付金具の構造）
図４に示すように，第２実施形態の取付金具の構造は、上記第１実施形態の取付金具の構造において、側面部３１ｂ，３１ｂの前記端縁３９，３９に鉤形爪片３４，３４を延長形成した変形例（図３参照）の取付金具３１の構成に加えて、別体の抜け止め部材４０を備えるものとして構成される構造である。この抜け止め部材４０は、板状部材の両縁を折り曲げて断面コ字状に形成すると共に、この両折り曲げ縁にスリット状の係止穴４０ａ，４０ａをそれぞれ形成した構造を有している。前記抜け止め部材４０の断面コ字状の折り曲げ幅は、取付金具３１の前記端縁３９，３９の上方から装着可能に形成された幅を有する。この抜け止め部材４０には、スリット状の係止穴４０ａを形成し、該係止穴４０ａに取付金具３１の前記鉤形爪片３４，３４を通して該抜け止め部材４０を取付金具３１に装着するものである。この抜け止め部材４０は、後述するように扁平ジャバラ４１を接続した該取付金具３１から扁平ジャバラ４１が抜け落ちないように機能させるための部材である。
【００２９】
（第２実施形態の取付金具と扁平ジャバラとの接続構造）
第２実施形態の取付金具３１に対して扁平ジャバラ４１を接続する構造について説明する。取付金具３１本体に対して扁平ジャバラ４１を接続する仕方は、前記第１の接続構造において述べた仕方と同じであるので詳しい説明は省略する。上記第１の接続構造で述べた取付金具３１本体に対する扁平ジャバラ４１の位置決め接続後において、接続後の該扁平ジャバラ４１が取付金具３１から抜け落ちないように機能させるために、図４に示した前記抜け止め部材４０を取付金具３１の前記端縁３９，３９上に図５に示すように装着した後、図６に示すように、取付金具３１の前記鉤形爪片３４，３４の先端の爪片部分を折り曲げる。例えば、前記スリット状の係止穴４０ａから抜けないように互いの方向に折り曲げて、抜け止め部材４０を係止させて取付金具３１本体に固定するものである。この扁平ジャバラ４１の接続構造によれば、台間玉貸機３やパチンコ島１の振動などの原因により、取付金具３１本体から扁平ジャバラ４１が外れて浮きあがろうとするような作用が働いても、この抜け止め部材４０が上方から扁平ジャバラ４１の外れを押さえ込んでいるので、前記係止爪３３，３３と共に扁平ジャバラ４１を確実に保持し、信頼性の高い扁平ジャバラの接続構造が得られるものである。
【００３０】
（硬貨排出口の扁平ジャバラ付取付金具の接続構造）
図７及び８に示すように、台間玉貸機３の背面３ａには、硬貨排出口３０の周辺に取付金具３１を固定するためのメネジ穴が複数形成されている。前述したように取付金具３１に扁平ジャバラ４１を位置決めして接続した後、該取付金具３１のフランジ部３１ｃ，３１ｃを台間玉貸機３の硬貨排出口３０部に当接し、ネジにより固定する。一方、扁平ジャバラ４１の他端は前記硬貨回収搬送機２３へと接続する。したがって、取付金具３１の前記フランジ部３１ｃ，３１ｃを前記硬貨排出口３０に固着すると、図７に示すように、取付金具３１に接続された扁平ジャバラ４１は幾分下方向きに傾斜して接続されるものである。これにより、扁平ジャバラ４１は、取付金具３１から前記硬貨回収搬送機２３へと硬貨を誘導する硬貨搬送ダクトを形成するものである。図１に示したように、台間玉貸機３の硬貨投入口４ｋから投入された硬貨は、前記硬貨排出口３０から排出される際、取付金具３１から硬貨搬送ダクトを構成する扁平ジャバラ４１へと誘導される。この際、この硬貨排出口３０から排出される硬貨は、取付金具３１に接続する扁平ジャバラ４１を位置決めするために形成されたダボ状の突起３６の漸次隆起する面により、該漸次隆起面に沿って中央寄りへとガイドされるように構成されているので、硬貨は扁平ジャバラ４１へと滑らかに確実に誘導される。また、この排出された硬貨の誘導は、前記漸次隆起面の後方においても、取付金具３１に対して位置決め接続された扁平ジャバラ４１の入口部が、硬貨の搬送方向からみて前記突起３６の最大隆起部の下流側に位置することとなるので、前記漸次隆起面から後方に誘導される硬貨が扁平ジャバラ４１の入口部と取付金具３１の側面部３１ｂとの間で詰まりを起こすような事態を確実に避けることができる。
【００３１】
以上に説明したように、本発明の第１及び第２の実施形態によれば、扁平ジャバラ４１と接続する取付金具３１の接続部の構造を上記したようにダボ状の前記突起３６を形成することにより、扁平ジャバラ取付時の位置決めが可能で、かつ扁平ジャバラ４１の入口部における硬貨詰まりが発生しない構造としたので、扁平ジャバラ４１の取付位置を調整するためのジャバラ取付後の調整作業が不必要となるなどの利点を有するものである。
【００３２】
また、台間玉貸機３やパチンコ島１等の振動などにより、取付金具３１本体から扁平ジャバラ４１が外れたり、浮きあがろうとするような振動等による作用が働いても、前記抜け止め部材４０を使用することにより、扁平ジャバラ４１の外れなどの要因に対して、扁平ジャバラ４１を上方から押さえ込むことになるので、前記係止爪３３，３３と共働して扁平ジャバラ４１を確実に保持し、信頼性の高い扁平ジャバラの接続構造を有する取付金具３１が得られるものである。
【００３３】
【発明の効果】本発明は、次の効果を奏するものである。
１．本発明によれば、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、該取付金具本体の両側面部に互いに対向する側へ漸次隆起する突起を設けたので、この漸次隆起する突起が硬貨のガイド部となり、台間玉貸機の開口部から排出される硬貨が取付金具に接続された扁平ジャバラの入口部で硬貨詰まりを起こすことなく扁平ジャバラへ円滑に誘導することができる。
２．本発明によれば、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けたことで、この漸次隆起する突起が硬貨のガイド部となり、開口部から排出される硬貨を扁平ジャバラへ円滑に誘導することができると共に、前記最大隆起部において直線状の突起切断部を設けたので、取付金具と扁平ジャバラの接続部との間に隙間や段差が形成されない構造とすると同時に、扁平ジャバラの開口接続部をこの直線状の突起切断部に当接させて扁平ジャバラを位置決めして取付金具に接続する構造とすることができるから、台間玉貸機の開口部から排出される硬貨が取付金具に接続される扁平ジャバラの開口接続部で硬貨の詰まりを起こすことを確実に防止することができる。
３．本発明によれば、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。さらに、取付金具の上方端縁に鉤形爪片を設けたので、ジャバラ取付後に振動等の原因により扁平ジャバラが外れようとしても、鉤形爪片を折り曲げて扁平ジャバラを固定することで、取付金具上方部からの外れを確実に阻止することができる。
４．本発明によれば、台間玉貸機の背面に硬貨を排出するための開口部を設け、該開口部に扁平ジャバラを接続するための台間玉貸機の扁平ジャバラ取付金具において、断面Ｕ字状に形成した取付金具本体内に扁平ジャバラを接続し、取付金具本体の両側面部に互いに対向する側へ漸次隆起する突起を設けると共に前記開口部に対してフランジ部を固定するようにしたので、前記漸次隆起する突起が硬貨のガイド部となり、台間玉貸機の開口部から排出される硬貨が取付金具に接続される扁平ジャバラの入口部で硬貨詰まりを起こすことなく扁平ジャバラへ円滑に誘導することができると共に、最大隆起部における直線状の突起切断部を有することで、扁平ジャバラの入口部をこの直線状の突起切断部に当接させて扁平ジャバラを位置決めして取付金具に接続することができるから、取付金具と扁平ジャバラの接続部との間に隙間や段差が形成されない構造とすることができ、また、扁平ジャバラ位置決め接続後の取付金具を台間玉貸機の背面の開口部に固定するので、ジャバラ取付後のジャバラ調整作業を不要とすることができる。また、取付金具の側縁に形成した係止爪により、扁平ジャバラを係止するので、扁平ジャバラの外れを確実に阻止することができる。さらに、取付金具の上方端縁に鉤形爪片を介して断面逆Ｕ字状の抜け止め部材を装着するので、ジャバラ取付後に振動等の原因により扁平ジャバラが外れようとしても、鉤形爪片を折り曲げて抜け止め部材を固定することで、取付金具上方部からの扁平ジャバラの外れを一層確実に阻止することができる。
【図面の簡単な説明】
【図１】パチンコ機と台間玉貸機を設置した島設備の断面図である。
【図２】扁平ジャバラ位置決め取付金具の第１実施形態の斜視図である。
【図３】扁平ジャバラ位置決め取付金具の変形例の斜視図である。
【図４】第２実施形態の取付金具と扁平ジャバラとの接続状態の説明図である。
【図５】扁平ジャバラ位置決め取付金具の取付組立図である。
【図６】第２実施形態の抜け止め部材の爪折り状態の説明図である。
【図７】扁平ジャバラ位置決め取付金具の台間玉貸機への取付説明図である。
【図８】扁平ジャバラ位置決め取付金具の分解説明図である。
【符号の説明】
１      パチンコ島
２      パチンコ機
３      台間玉貸機
３ａ    背面
４ｋ    硬貨投入口
５      島本体
７      基台
９      支持枠
１０    中央空間部
１１    上部取付部
１３    下方支持板
１４    載せ板
１５    上方支持板
１７    ランプ板
２１    補給樋
２１ｄ  パチンコ玉搬送ダクト
２３    硬貨回収搬送機
２３ｔ  支持部材
２５    集合樋
３０    硬貨排出口
３１    取付金具
３１ａ  底面部
３１ｂ  側面部
３１ｃ  フランジ部
３１ｄ  側縁
３２    第１屈曲部
３３    係止爪
３４    鉤形爪片
３５    第２屈曲部
３６    突起
３７    突起切断部
３８    穴
３９    端縁
４０    抜け止め部材
４１    扁平ジャバラ
【図１】
2004201862.tif 000003
【図２】
2004201862.tif 000004
【図３】
2004201862.tif 000005
【図４】
2004201862.tif 000006
【図５】
2004201862.tif 000007
【図６】
2004201862.tif 000008
【図７】
2004201862.tif 000009
【図８】
2004201862.tif 000010